(57)【要約】【課題】重量のある被取付部材であってもケージに固定することができ、更に容易に取り付けることができるケージ用クリップを提供する。【解決手段】ケージ用クリップ１は、ケージ１０，１２を構成するワイヤー１０１，１２１に着脱自在に取り付けられ、被取付部材１１，１２２，１３を前記ケージ１０，１２壁面に固定するのであって、１本の線材が屈曲形成されてなり、溝形状に形成され、前記ワイヤー１０１，１２１に掛合される掛合部２と、前記掛合部２から延びた前記線材の両端部に左右対称に設けられ、前記被取付部材１１，１２２，１３の裏面側に当接し、前記被取付部材１１，１２２，１３を前記ケージ１０，１２壁面側に押しつけて固定する１対の押圧部３と、前記掛合部２と前記押圧部３の間で左右対称に設けられ、前記被取付部材１１の一部に当接する一対の当接部４と、を備える。【選択図】図１
2014008021.tif 000002
【特許請求の範囲】
【請求項１】
ケージを構成するワイヤーに着脱自在に取り付けられ、被取付部材を前記ケージ壁面に固定するケージ用クリップであって、
１本の金属線材が屈曲形成されてなり、
溝形状に形成され、前記ワイヤーに掛合される掛合部と、
前記掛合部から延びた前記線材の両端部に左右対称に設けられ、前記被取付部材の裏面側に当接し、前記被取付部材を前記ケージ壁面側に押しつけて固定する１対の押圧部と、
前記掛合部と前記押圧部の間で左右対称に設けられ、前記被取付部材の一部に当接する一対の当接部と、
を備えることを特徴とするケージ用クリップ。
【請求項２】
前記当接部を屈曲点とした、くの字状に形成され、
前記押圧部と前記掛合部を離間する方向に変形動作させた際に、前記線材のばね力によって、前記押圧部は、前記掛合部に近接する方向に付勢されることを特徴とする請求項１に記載のケージ用クリップ。
【請求項３】
前記押圧部は、前記線材が折り曲げられて環状に形成されてなることを特徴とする請求項１または２に記載のケージ用クリップ。
【請求項４】
前記掛合部から延びる２本の線材の間隔は、前記掛合部から前記当接部方向に向かって次第に幅広となるように形成されることを特徴とする請求項１〜３のいずれかに記載のケージ用クリップ。
【発明の詳細な説明】
【技術分野】
【０００１】
本発明は、ヒーターなどの被取付部材をケージに固定するケージ用クリップに関する。
【背景技術】
【０００２】
従来、ペットなどの小動物を飼育するためのケージ壁面に、取付具などを用いて給水ボトルなどの水飲み器を取り付けることが知られている（例えば、特許文献１）。
【０００３】
また、冬などの寒い季節であってもペットが快適に過ごせるように、電気式のヒーターなどを備え付けることが考えられる。
【先行技術文献】
【特許文献】
【０００４】
【特許文献１】実用新案登録第３０５４４４８号公報
【発明の概要】
【発明が解決しようとする課題】
【０００５】
しかしながら、特許文献１に記載されたようなフック取付具は、ゴムベルトに取り付けられたフックがケージに取り付けられ、ゴムベルトの付勢力を利用して給水ボトルを取り付けるように構成されているので、ヒーターなどのように比較的大きく、重量のあるものを取り付けるのに適したものではなかった。
【課題を解決するための手段】
【０００６】
本発明は、上述した技術背景に鑑み、重量のある被取付部材であってもケージに固定することができ、更に容易に取り付けることができるケージ用クリップの提供を目的とする。
【０００７】
即ち、本発明は下記［１］〜［４］に記載の構成を有する。
【０００８】
［１］  ケージを構成するワイヤーに着脱自在に取り付けられ、被取付部材を前記ケージ壁面に固定するケージ用クリップであって、
１本の金属線材が屈曲形成されてなり、
溝形状に形成され、前記ワイヤーに掛合される掛合部と、
前記掛合部から延びた前記線材の両端部に左右対称に設けられ、前記被取付部材の裏面側に当接し、前記被取付部材を前記ケージ壁面側に押しつけて固定する１対の押圧部と、
前記掛合部と前記押圧部の間で左右対称に設けられ、前記被取付部材の一部に当接する一対の当接部と、
を備えることを特徴とするケージ用クリップ。
【０００９】
［２］  前記当接部を屈曲点とした、くの字状に形成され、
前記押圧部と前記掛合部を離間する方向に変形動作させた際に、前記線材のばね力によって、前記押圧部は、前記掛合部に近接する方向に付勢されることを特徴とする前項１に記載のケージ用クリップ。
【００１０】
［３］  前記押圧部は、前記線材が折り曲げられて環状に形成されてなることを特徴とする前項１または２に記載のケージ用クリップ。
【００１１】
［４］  前記掛合部から延びる２本の線材の間隔は、前記掛合部から前記当接部方向に向かって次第に幅広となるように形成されることを特徴とする前項１〜３のいずれかに記載のケージ用クリップ。
【発明の効果】
【００１２】
上記［１］に記載の発明によれば、溝形状に形成され、前記ワイヤーに掛合される掛合部と、前記掛合部から延びた前記線材の両端部に左右対称に設けられ、前記被取付部材の裏面側に当接し、前記被取付部材を前記ケージ壁面側に押しつけて固定する１対の押圧部と、前記掛合部と前記押圧部の間で左右対称に設けられ、前記被取付部材の一部に当接する一対の当接部と、を備えたケージ用クリップは、１本の金属線材が屈曲形成されてなるので、ヒーターなどのように比較的大きく、重量のあるものであっても、ケージ壁面に取り付けることができる上、掛合部をワイヤーに掛合させて、被取付部材の裏面に押圧部を取り付けるだけの簡単な操作ですむので、取り付けが容易である。
【００１３】
また、掛合部がワイヤーに掛合され、被取付部材の裏面側に当接した押圧部が、被取付部材をケージ壁面側に押し付けるようにして固定するので、被取付部材をケージの外側に取り付ける場合、ワイヤーに掛合される掛合部のみがケージ内側へ突出する、即ち、線材の太さ分しかケージ内側に突出しないので、ケージに装着しても嵩張ることがない。
【００１４】
更に、当接部が、被取付部材の一部に当接するので、ケージ壁面に被取付部材を安定的に取り付けることができる。
【００１５】
上記［２］に記載の発明によれば、前記当接部を屈曲点とした、くの字状に形成され、前記押圧部と前記掛合部を離間する方向に変形動作させた際に、前記線材のばね力によって、前記押圧部は、前記掛合部に近接する方向に付勢されるので、異なる厚みの被取付部材に対応してケージ壁面に取り付けることができる。
【００１６】
上記［３］に記載の発明によれば、前記押圧部は、前記線材が折り曲げられて環状に形成されてなるので、押圧部の先端が丸みを帯びた形状であるため安全性が高い。
【００１７】
また、被取付部材に溝などの凹みが形成されている場合に、被取付部材の裏面側に当接した押圧部が、被取付部材をケージ壁面側に押し付けるようにして固定するので、押圧部の環状部が凹みに係合して被取付部材をより安定的に押圧固定させることができる。
【００１８】
上記［４］に記載の発明によれば、前記掛合部から延びる２本の線材の間隔は、前記掛合部から前記当接部方向に向かって次第に幅広となるように形成されるので、適度な間隔を有する２点の押圧部でより安定して被取付部材を固定させることができる。
【図面の簡単な説明】
【００１９】
【図１】本発明に係るケージ用クリップの使用状態説明図である。
【図２】本発明に係るケージ用クリップを説明するための説明図である。
【図３】本発明に係るケージ用クリップによる被取付部材の固定状態を示す断面図である。
【図４】本発明に係るケージ用クリップの構成を説明するための説明図である。
【図５】被取付部材が底板である場合における本発明に係るケージ用クリップの使用状体説明図である。
【図６】被取付部材が給水器である場合における本発明に係るケージ用クリップの使用状体説明図である。
【発明を実施するための形態】
【００２０】
以下、図面を参照して、本発明の実施形態について説明する。
【００２１】
図１は、ケージ用クリップ１の使用状態説明図、図２は、ケージ用クリップ１を説明するための説明図、図３は、ケージ用クリップ１による被取付部材１１の押圧固定状態を示す断面図、図４は、ケージ用クリップ１の構成を説明するための説明図、図５は、被取付部材が底板である場合における本発明に係るケージ用クリップの使用状体説明図、図６は、被取付部材が給水器である場合における本発明に係るケージ用クリップの使用状体説明図である。
【００２２】
図１〜４に示すケージ用クリップ１は、ペットなどの小動物を飼育するためのケージ１０の壁面に、ヒーターなどの被取付部材１１を固定する際に用いられるものである。
【００２３】
被取付部材１１は、ケージ１０壁面に一面が密着した状態で取り付けられるが、以降では説明の便宜上、ケージ１０壁面に密着する面及びその対向面を、それぞれ「表面」及び「裏面」と定義する。
【００２４】
ケージ１０は、例えば、金属線材であるワイヤー１０１からなるフェンスが連結されてなるものであり、図１に示すように、外周枠１０２と、外周枠１０２に対して上下方向に複数配置した縦枠１０３と、縦枠１０３に対して横方向に交差させた横枠１０４と、を備えるものである。
【００２５】
ケージ用クリップ１は、ワイヤー１０１に着脱自在に取り付けることができるように構成されたものであり、縦枠１０３或いは横枠１０４を選ぶことなく、何れであっても取り付けることが可能な構成となっている。
【００２６】
ケージ用クリップ１は、ばね材からなる１本の金属線材（以下、「線材」とも記す。）が屈曲形成されてなるものであり、その線径は、約１ｍｍである。
【００２７】
尚、金属線材の線径は、被取付部材１１の重量などに応じて適宜変更可能である。
【００２８】
ケージ用クリップ１は、以下に説明する掛合部２、押圧部３及び当接部４を備える。
【００２９】
掛合部２は、線材のほぼ真中が折り曲げられて、Ｕ字状などの溝形状に形成されている。
【００３０】
掛合部２は、掛合部２から延びる２本の線材の間にワイヤー１０１を挟み込み、連結された溝形状の部分でワイヤー１０１に掛合される。
【００３１】
ワイヤー１０１に掛合された掛合部２は、ワイヤー１０１が延びる方向に沿って前後方向に移動可能となっている。
【００３２】
尚、掛合部２の形状は、ワイヤー１０１に掛合し易いように、ワイヤー１０１の外周形状に合った溝形状に形成されていればよく、特に限定されるものではない。
【００３３】
掛合部２から延びた２本の線材には、当接部４と、更に線材の先端には押圧部３が順に設けられる。
【００３４】
掛合部２から延びる２本の線材の間隔は、掛合部２から当接部４方向に向かって次第に幅広となるように形成される。
【００３５】
押圧部３は、掛合部２から延びた線材の両端部に左右対称に一対で設けられ、被取付部材の裏面側に当接し、被取付部材１１をケージ１０壁面側に押しつけて固定するように構成される。
【００３６】
押圧部３は、線材が折り曲げられて環状に形成され、即ち、コイル状に巻回されて形成されている。
【００３７】
押圧部３は、線材が折り曲げられて環状に形成されてなるので、先端が丸みを帯びた形状であるため安全性が高い。
【００３８】
押圧部３は、被取付部材１１に当接する側が、互いに近接する方向に、やや内向きに捻れて形成される。
【００３９】
押圧部３は、密着巻きされることによって線材が少なくとも２本以上密着して形成されており、ケージ１０壁面に取り付けられた被取付部材１１が、線材の複数本密着した箇所と当接する。
【００４０】
例えば、図３に示すように、掛合部２がワイヤー１０１に掛合された状態で、押圧部３が被取付部材１１の上面に設けられた溝部１１１に係合して、被取付部材１１をケージ１０壁面に取り付けることができる。
【００４１】
押圧部３は、線材が複数本密着して形成されるので、ケージ用クリップ１を被取付部材１１に取り付けた際、被取付部材１１に当接する面積が広くなり、被取付部材１１を安定して固定することができる。
【００４２】
被取付部材１１は、掛合部２及び押圧部３の間で挟まれるようにして、ケージ１０壁面に固定される。
【００４３】
当接部４は、掛合部２から延びた線材に左右対称に一対で設けられている。
【００４４】
図２の正面図で示すように、当接部４は、当接部４から延びる２本の腕５を有しており、一方の腕５の先に掛合部２が設けられ、他方の腕５の先に押圧部３が設けられている。
【００４５】
当接部４は、くの字状に形成されたケージ用クリップの屈曲点であり、掛合部２と押圧部３の間に設けられているが、当接部４から延びる２本の腕５は必ずしも等しい長さに設定されている訳ではなく、本実施形態においては、掛合部２側の腕５（５１）の長さの方が押圧部３側の腕５（５２）の長さよりも若干短くなるように設定されている。
【００４６】
図４（ａ）に示すように、例えば、本実施形態のケージ用クリップ１では、掛合部２側の腕５１の長さＬ１が約２０ｍｍに設定されるのに対して、押圧部３側の腕５２の長さＬ２は約２３ｍｍに設定され、押圧部３側の腕５２は、掛合部２側の腕５１の約１．１５倍の長さとなっている。
【００４７】
掛合部２側の腕５１の長さの方が押圧部３側の腕５２の長さよりも短くなるように設定されると、掛合部２を被取付部材１１から若干離間した箇所に掛合させることができるので取り付け易く、それでいて、被取付部材１１の上面のより中央部側寄りに押圧部３を固定させることができるので好適であるが、これに限定されるものではなく、取付対象によって適宜設定可能である。
【００４８】
ケージ用クリップ１未使用時における当接部４から延びる２本の腕５１，５２（５）がなす角度、即ち巻き角度Ａは、鋭角或いは直角に設定されることが好適であり、特に１５〜９０度の範囲に設定されることが好適である。
【００４９】
当接部４は、線材が折り曲げられて、正面視で環状に形成されたコイル部を有している。
【００５０】
当接部４のコイル部は、巻き方向が左右で異なり、例えば、図２（ｃ）の右側面図に基づいて説明すると、図面左手のコイル部は右巻き、図面右手のコイル部は左巻きに設定される。
【００５１】
当接部４は、ケージ用クリップ１で被取付部材１１をケージ１０壁面に固定させた状態で、一重に巻かれた当接部４の一部が被取付部材１１の一部に当接するように構成される。
【００５２】
例えば、図３に示すように、当接部４の２本の腕５１，５２が延びた側と対向する側、即ち当接部４の一重に巻かれた円弧部４１が、被取付部材１１の側面１１２に当接する。
【００５３】
当接部４が、被取付部材１１の一部に当接するように構成されるので、ケージ１０壁面に被取付部材１１を安定的に取り付けることができる。
【００５４】
コイル部の内径寸法は、上述した押圧部３の環状に形成された部分の内径寸法と略同等に形成されている。
【００５５】
コイル部は、被取付部材１１を前記ケージ１０に取り付けた状態で、前記掛合部２と前記押圧部３が近接する方向に付勢する付勢手段である。
【００５６】
未使用時におけるケージ用クリップ１の腕５１，５２は、例えば約７２度の巻き角度Ａとなるように位置している。この時の一切負荷がかかっていない状態である各腕５１，５２の位置を初期位置といい、通常時（クリップ未使用時）、各腕５１，５２は初期位置（図４において実線で示す位置）に位置している。
【００５７】
ケージ用クリップ１の腕５１，５２は、内側及び外側方向の何れにも移動させることができるが、本発明では主に外側方向に移動させて使用され、外側方向に移動させたケージ用クリップ１の腕５１，５２は、付勢力により初期位置に戻る方向に付勢される。
【００５８】
被取付部材１１は、ケージ用クリップ１の腕５１，５２が初期位置にある場合の掛合部２と押圧部３の開き間隔（以降、「クリアランス」と記す。）Ｃよりも厚みがあるため、ケージ用クリップ１が被取付部材１１に取り付けられる際、掛合部２側の腕５１及び押圧部３側の腕５２は、コイル部による付勢力に抗して初期位置よりも外側へ開いた位置（図４（ｂ）において二点鎖線で示す位置）へ移動させることができるようになっている。
【００５９】
尚、クリアランスＣとは、初期位置において、掛合部２の端部と押圧部３の端部とを直線で結んだ際の最短距離（図４（ｂ）で示す１点鎖線）を意味している。
【００６０】
図４（ｂ）に示すように、例えば、被取付部材１１の厚みが、クリアランスＣより若干厚い程度であれば、押圧部３及び押圧部３側の腕５１，５２の初期位置から二点鎖線で示す外側位置への移動で、被取付部材１１の取り付けが可能である。
【００６１】
被取付部材１１にケージ用クリップ１を取り付けた状態では、ケージ用クリップ１の腕５１，５２は、付勢力によって初期位置の方向へ付勢される。
【００６２】
当接部４が、掛合部２と押圧部３が近接する方向に付勢する付勢手段を有するので、被取付部材１１をより確実にケージ１０壁面に取り付けることができる。
【００６３】
ケージ用クリップ１は、取り付けたい被取付部材１１の厚みに対して、約０．５〜０．９倍のクリアランスＣに設定されることが好適である。
【００６４】
（使用方法）
図１に基づいて、ケージ用クリップ１の使用方法について説明する。
【００６５】
被取付部材１１、例えば、ヒーター１１を配置するケージ１０壁面の任意の箇所に位置決めし、ヒーター１１を配置する箇所に重なっているケージ１０の縦枠１０３或いは横枠１０４に対してケージ用クリップ１を取り付ける。
【００６６】
ケージ用クリップ１の一対の押圧部３の間に、ケージ１０の縦枠１０３或いは横枠１０４を嵌め入れて、掛合部２に縦枠１０３或いは横枠１０４を掛合させる。
【００６７】
この時、掛合部２は、当接部４が当接する被取付部材１１の側面１１２、換言すると、当接部４が当接する被取付部材１１の一部の面に対して接離方向に延びたワイヤー１０１に掛合される。
【００６８】
ケージ１０壁面外側に被取付部材１１を固定する場合は、掛合部２をケージ１０のワイヤー１０１に掛合させた状態で、ケージ１０の外側に押圧部３が突出するように、ケージ用クリップ１を取り付ける。
【００６９】
被取付部材１１をケージ１０の外側に取り付ける場合、ワイヤー１０１に掛合される掛合部２のみがケージ１０内側へ突出する、即ち、線材の太さ分しかケージ１０内側に突出しないので、ケージ１０に装着しても嵩張ることがない。
【００７０】
尚、ケージ１０壁面内側に被取付部材１１を固定する場合には、ケージ１０の内側に押圧部３が突出するように掛合部２をワイヤー１０１に掛合させてケージ用クリップ１を取り付ければよい。
【００７１】
掛合部２をワイヤー１０１に掛合させた状態で、当接部４の付勢力に抗して押圧部３側の腕５２を初期位置より外側の位置に移動させ、被取付部材１１のケージ１０壁面外側に仮置きした面の対向面に設けられた溝部１１１に、ケージ用クリップ１の押圧部３を係合させる。
【００７２】
ケージ用クリップ１は、ワイヤー１０１に掛合部２を掛合させた状態で、ワイヤー１０１に沿って掛合部２を移動させて被取付部材１１をケージ１０壁面に取り付けることができるので、ワイヤー１０１に沿った方向の任意の箇所に掛合部２を取り付けることができ、被取付部材１１の取り付け位置の自由度が高い。
【００７３】
押圧部３及び掛合部２は、当接部４のコイル部の付勢力によって、初期位置の方向、即ち、押圧部３及び掛合部２が近接する方向に付勢される。
【００７４】
押圧部３は、線材が折り曲げられて環状に形成されてなるので、被取付部材１１に溝などの凹みが形成されている場合に、被取付部材１１の裏面側に当接した押圧部３が、被取付部材１１をケージ１０壁面側に押し付けるようにして固定するので、押圧部３の環状部が凹みに係合して被取付部材１１をより安定的に押圧固定させることができる。
【００７５】
また、掛合部２の幅寸法が、掛合部２から当接部４方向に向かって次第に幅広となるように形成されているので、適度な間隔を有する２点の押圧部３で安定して被取付部材１１を固定させることができる。
【００７６】
ケージ用クリップ１を取り付ける際は、被取付部材１１をケージ１０壁面外側に手で支持して仮置きなどしておくのであってもよいし、ケージ用クリップ１の掛合部２を掛合させた後に、被取付部材１１をケージ１０壁面に取り付けるのであってもよく、この順序については特に限定されるものではない。
【００７７】
ケージ用クリップ１を取り外す際は、被取付部材１１に係合させた押圧部３を引っ張り上げ、押圧部３側の腕５を当接部４の付勢力に抗して外側に開いて被取付部材１１から取り外す。
【００７８】
このように、ケージ用クリップ１は、当接部４を屈曲点としたくの字状に形成され、押圧部３と掛合部２を離間する方向に変形動作させた際に、線材のばね力によって、押圧部３は、掛合部２が近接する方向に付勢されるので、異なる厚みの被取付部材１１に対応してケージ１０壁面に取り付けることができる。
【００７９】
尚、上述では、ケージ用クリップ１を３つ用いて被取付部材１１を取り付けるように図示しているが、被取付部材１１の取り付けに用いられるケージ用クリップ１の個数はこれに限定されるものではなく、被取付部材１１のサイズ、重量などによって適宜設定すればよい。
【００８０】
例えば、軽量な小さいものであれば、単一のケージ用クリップ１で取り付けることもできる。
【００８１】
上述で説明したように、押圧部３は、被取付部材１１に当接する側が、互いに近接する方向に左右対称でやや内向きに捻れて形成されていれば、被取付部材１１に取り付けた際に当接部４が横倒しに変形する虞が低減する上、当接部４のコイル部の掛合部２側の密着度が高まり、且つ押圧部３側のコイル部の密着度が低くなって、押圧部３側の腕５２の可動性が向上するので好ましいが、この形状に限定されるものではない。
【００８２】
上述では、被取付部材１１に溝部１１１が設けられているように説明したが、溝部１１１が設けられていない被取付部材１１であっても、本発明品を用いてゲージ壁面に取り付けることができる。
【００８３】
上述では、被取付部材１１としてヒーターを例に説明したが、ケージ用クリップ１を用いてケージ１０に取り付けられる物であれば特に限定するものではない。
【００８４】
例えば、図５に示すように、かご状のケージ１２の底板１２２と、底板１２２の上部に取り付けられるワイヤー１２１がよりしっかり係合するように、ワイヤー１２１の縦枠１２３に掛合部２を掛合させ、押圧部３を底板１２２の上端に設けられた段部１２５の下端に引っ掛けるようにして、当接部４が段部１２５の上端に当接した状態でケージ用クリップ１を取り付けることができる。
【００８５】
ケージ用クリップ１は、ワイヤー１２１の縦枠１２３に対して取り付けて底板１２２を固定するので、かご状のケージ１２の寸法精度が悪い場合であっても、ワイヤー１２１を底板１２２にしっかり固定させることができる。
【００８６】
また、例えば、図６に示すように、ワイヤー１２１の横枠１２４に掛合部２を掛合させ、押圧部３を給水器１３に設けられた取付用板１３１の突出部１３２に引っ掛けるようにして、当接部４が取付用板１３１に当接した状態でケージ用クリップ１を取り付けることができる。
【００８７】
これらの場合には、それぞれ底板１２２、給水器１３が被取付部材１１となっている。
【００８８】
以上説明したように、ケージ１０，１２を構成するワイヤー１０１，１２１に着脱自在に取り付けられ、被取付部材１１，１２２，１３を前記ケージ１０，１２壁面に固定するケージ用クリップ１であって、１本の金属線材が屈曲形成されてなり、溝形状に形成され、前記ワイヤー１０１，１２１に掛合される掛合部２と、前記当接部４から延びた前記線材の両端部に左右対称に設けられ、前記被取付部材１１の裏面側に当接し、前記被取付部材１１，１２２，１３を前記ケージ１０，１２壁面側に押し付けて固定する１対の押圧部３と、前記掛合部２から延びた前記線材に左右対称に設けられ、前記被取付部材１１の一部に当接する一対の当接部４と、を備えるので、ヒーターなどのように比較的大きく、重量のあるものであっても、ケージ１０，１２壁面に取り付けることができる。
【００８９】
その上、掛合部２をワイヤー１０１，１２１に掛合させて、被取付部材１１，１２２，１３の裏面に押圧部３を取り付けるだけの片手でも出来るような簡単な操作ですむので、取り付けが容易である。
【００９０】
以上説明した実施形態は、本発明の一例に過ぎず、本発明の作用効果を奏する範囲において具体的構成などを適宜変更設計できることは言うまでもない。
【符号の説明】
【００９１】
１…ケージ用クリップ
２…掛合部
３…当接部
４…押圧部
１０，１２…ケージ
１１…被取付部材（ヒーター、底板、給水器）
１０１，１２１…ワイヤー
【図１】
2014008021.tif 000003
【図２】
2014008021.tif 000004
【図３】
2014008021.tif 000005
【図４】
2014008021.tif 000006
【図５】
2014008021.tif 000007
【図６】
2014008021.tif 000008